(57)【要約】【課題】一般的に市場に流通しているベビーベッド用の寝具類を使用することができ、かつ、さらなるコスト低減を図ること。【解決手段】妻側プレート２，４と平側プレート６，８とをジョイント１０によって所定隙間をもって連結する。これにより、ベビーベッド１の内側寸法を、一般的に市場に流通しているベビーベッド用の寝具類よりも小さくすることなく、妻側プレート２，４および平側プレート６，８の幅寸法の短縮化を図ることができる。この結果、サイズ低減による運送コストの低減を図ることができる。なお、ベビーベッド１の内側寸法を、一般的に市場に流通しているベビーベッド用の寝具類に対応させた寸法を維持できるため、専用の寝具類を準備する必要がなく、コスト高を招くこともない。【選択図】図１
2020065909.tif 000002
【特許請求の範囲】
【請求項１】
第１および第２妻側枠体と、
該第１および第２妻側枠体に直交状に配置される第１および第２平側枠体と、
前記第１および第２妻側枠体と、前記第１および第２平側枠体と、を所定隙間をもって連結する複数の連結部材と、
を備えるベビーベッド。
【請求項２】
前記第１および第２妻側枠体のそれぞれは、前記ベビーベッドの高さ方向に延在する第１および第２縦方向側縁部を有しており、
前記第１および第２平側枠体のそれぞれは、前記ベビーベッドの高さ方向に延在する第３および第４縦方向側縁部を有しており、
前記第１および第２縦方向側縁部のそれぞれは、該第１および第２縦方向側縁部の延在方向に直交する幅方向に延在する一対の第１切欠きを有しており、
前記第３および第４縦方向側縁部のそれぞれは、該第３および第４縦方向側縁部の延在方向に直交する幅方向に延在する一対の第２切欠きを有しており、
前記連結部材は、前記第１切欠きに係合可能な第１係合部と、該第１係合部に一体にされると共に前記第１および第２妻側枠体へ締結される第１締結部と、前記第２切欠きに係合可能な第２係合部と、該第２係合部に一体にされると共に前記第１および第２平側枠体に締結される第２締結部と、を有している
請求項１に記載のベビーベッド。
【請求項３】
前記連結部材は、第１腕部と、該第１腕部に直交状に一体にされた第２腕部と、を有しており、
前記第１および第２腕部は、該第１および第２腕部を先端側から見た場合に、略逆Ｕ字状の第１および第２凹部を有しており、
該第１凹部は、第１底壁と、該第１底壁に一体にされた一対の第１側壁と、から構成されており、
前記第２凹部は、第２底壁と、該第２底壁に一体にされた一対の第２側壁と、から構成されており、
前記第１および第２底壁は、前記第１および第２係合部を構成し、
前記一対の第１および第２側壁は、前記第１および第２締結部を構成する
請求項２に記載のベビーベッド。
【請求項４】
前記連結部材は、長手方向一端部に第１連結部を有する第１腕部と、長手方向一端部に前記第１連結部と連結可能な第２連結部を有する第２腕部と、前記第１腕部と前記第２腕部とが所望の挟角を維持可能に前記第１および第２連結部を締結する締結部材と、を有しており、
前記第１および第２腕部は、該第１および第２腕部を前記第１および第２連結部が設けられた側とは反対側の先端側から見た場合に、略逆Ｕ字状の第１および第２凹部を有しており、
該第１および第２凹部は、第１および第２底壁と、該第１および第２底壁に一体にされた一対の第１および第２側壁と、から構成されており、
前記第１および第２底壁は、前記第１および第２係合部を構成し、
前記一対の第１および第２側壁は、前記第１および第２締結部を構成する
請求項２に記載のベビーベッド。
【請求項５】
前記連結部材は、第１腕部と、該第１腕部に直交状に一体にされた第２腕部と、を有しており、
前記第１および第２腕部は、第１および第２壁と、該第１および第２壁に直交状に一体にされた第３および第４壁と、を有しており、
前記第１および第２壁は、前記第１および第２係合部を構成し、
前記第３および第４壁は、前記第１および第２締結部を構成する
請求項２に記載のベビーベッド。
【請求項６】
前記第１および第２妻側枠体のそれぞれに接続される第１および第２脚部材をさらに備え、
前記第１および第２妻側枠体は、前記第１および第２縦方向側縁部の下端を接続するよう前記幅方向に延在する幅方向下縁部を有しており、
該幅方向下縁部は、上方に向かって切り欠かれた第３および第４切欠きを有しており、
前記第１および第２脚部材のそれぞれは、前記第３および第４切欠きに係合可能な第５切欠きを有している
請求項２ないし５のいずれか１項に記載のベビーベッド。
【請求項７】
前記第３および第４切欠きは、前記上方に向かうに伴って互いに近付く方向の傾斜角を有している
請求項６に記載のベビーベッド。
【請求項８】
前記第１および第２脚部材を連結する連結桟をさらに備え、
前記第１および第２脚部材は、前記連結桟が係合可能な第６および第７切欠きを有しており、
前記第６および第７切欠きは、前記連結桟が前記第１および第２脚部材に係合した際、該連結桟が水平状態となるよう前記第３および第４切欠きの傾斜角に応じた傾斜角を有している
請求項７に記載のベビーベッド。
【発明の詳細な説明】
【技術分野】
【０００１】
本発明は、ベビーベッドに関する。
【背景技術】
【０００２】
特開２０１６−１０１４９６号公報（特許文献１）には、一対の妻側枠と、当該一対の妻側枠に直角に接続された一対の平側枠と、一対の妻側枠および一対の平側枠の内側に設置される底板と、を備えるベビーベッドが記載されている。当該ベビーベッドでは、一対の妻側枠が、ベビーベッドの高さ方向の両端に配置されると共に幅方向に延在する上下一対の幅方向支柱と、ベビーベッドの高さ方向に延在して上下一対の幅方向支柱の延在方向の各両端同士を接続する左右一対の縦方向支柱と、を有してろ、一対の平側枠が、ベビーベッドの高さ方向の両端に配置されると共に一対の妻側枠の左右一対の縦方向支柱に連結される上下一対の幅方向支柱を有している。
【０００３】
当該ベビーベッドによれば、一対の平側枠には、ベビーベッドの高さ方向に延在して上下一対の幅方向支柱の延在方向の各両端同士を接続する左右一対の縦方向支柱を有していないため、一対の妻側枠と一対の平側枠との連結部位に縦方向支柱が２本並ぶことがなく、枠同士を一体的に連結した成型品のような繊細な印象を与えることができると共に、一対の平側枠のコストを一対の縦方向支柱分だけ抑制することができ、ベビーベッドの低廉化を図っている。
【先行技術文献】
【特許文献】
【０００４】
【特許文献１】特開２０１６−１０１４９６号公報
【発明の概要】
【発明が解決しようとする課題】
【０００５】
ところで、このようなベビーベッドは、分解された状態で運送されることが一般的である。ここで、運送料は、運送物のサイズ（縦×横×高さの合計）や重量によって異なっており、サイズおよび重量が小さいほど運送に掛かるコストを抑えることができる。このような観点から、分解状態のベビーベッドは、サイズおよび重量が小さい方が好ましい。しかしながら、上述した公報に記載のベビーベッドのように、一対の妻側枠と一対の平側枠とを直接当接させて連結する構造のベビーベッドにおいて、単に一対の妻側枠や一対の平側枠のサイズを小さくしてベビーベッドのサイズ低減を図ると、一般的に市場に流通しているベビーベッド用の寝具類を使用することができなくなり、専用の寝具類を準備する必要が生じて、返ってコスト高を招いてしまう。
【０００６】
本発明は、上記に鑑みてなされたものであり、一般的に市場に流通しているベビーベッド用の寝具類を使用することができ、かつ、さらなるコスト低減を図ることができるベビーベッドを提供することを目的とする。
【課題を解決するための手段】
【０００７】
本発明のベビーベッドは、上述の目的を達成するために以下の手段を採った。
【０００８】
本発明に係るベビーベッドの好ましい形態によれば、第１および第２妻側枠体と、当該第１および第２妻側枠体に直交状に配置される第１および第２平側枠体と、第１および第２妻側枠体と第１および第２平側枠体とを所定隙間をもって連結する複数の連結部材と、を備えている。ここで、本発明における「妻側枠体」とは、ベビーベッドの長手方向に直交する方向延在する枠体がこれに該当し、本発明における「平側枠体」とは、ベビーベッドの長手方向に沿って延在する枠体がこれに該当する。
【０００９】
本発明によれば、第１および第２妻側枠体と第１および第２平側枠体とを所定隙間をもって連結する構成であるため、ベビーベッドの内側寸法を変更することなく、第１および第２妻側枠体の幅方向寸法、および、第１および第２平側枠体の幅方向寸法の短縮化を図ることができる。これにより、一般的に市場に流通しているベビーベッド用の寝具類を使用することができ、かつ、第１および第２妻側枠体と第１および第２平側枠体のサイズ低減による運送コストを低減することができる。
【００１０】
本発明に係るベビーベッドの更なる形態によれば、第１および第２妻側枠体のそれぞれは、ベビーベッドの高さ方向に延在する第１および第２縦方向側縁部を有している。また、第１および第２平側枠体のそれぞれは、ベビーベッドの高さ方向に延在する第３および第４縦方向側縁部を有している。第１および第２縦方向側縁部のそれぞれは、当該第１および第２縦方向側縁部の延在方向に直交する幅方向に延在する一対の第１切欠きを有している。また、第３および第４縦方向側縁部のそれぞれは、当該第３および第４縦方向側縁部の延在方向に直交する幅方向に延在する一対の第２切欠きを有している。そして、連結部材は、第１切欠きに係合可能な第１係合部と、当該第１係合部に一体にされると共に第１および第２妻側枠体へ締結される第１締結部と、第２切欠きに係合可能な第２係合部と、当該第２係合部に一体にされると共に第１および第２平側枠体に締結される第２締結部と、を有している。
【００１１】
本形態によれば、連結部材の第１係合部を第１および第２妻側枠体の第１切欠きに係合させた状態で、第１締結部を第１および第２妻側枠体に締結し、連結部材の第２係合部を第１および第２平側枠体の第２切欠きに係合させた状態で、第２締結部を第１および第２平側枠体に締結することによって、第１および第２妻側枠体と第１および第２平側枠体とを連結することができるため、簡易な構成で第１および第２妻側枠体と第１および第２平側枠体とを連結することができる。
【００１２】
本発明に係るベビーベッドの更なる形態によれば、連結部材は、第１腕部と、当該第１腕部に直交状に一体にされた第２腕部と、を有している。第１および第２腕部は、当該第１および第２腕部を先端側から見た場合に、略逆Ｕ字状の第１および第２凹部を有している。当該第１凹部は、第１底壁と、当該第１底壁に一体にされた一対の第１側壁と、から構成されている。また、第２凹部は、第２底壁と、当該第２底壁に一体にされた一対の第２側壁と、から構成されている。そして、第１および第２底壁は、第１および第２係合部を構成し、一対の第１および第２側壁は、第１および第２締結部を構成する。
【００１３】
本形態によれば、連結部材を略Ｌ字状に形成し、当該連結部材の先端部に第１および第２凹部を設けるのみという簡易な構成で、第１および第２係合部と、第１および第２締結部と、を有する連結部材を実現することができる。なお、連結部材は、一対の第１および第２側壁によって、第１および第２妻側枠体、および、第１および第２平側枠体を挟持した状態で、第１および第２妻側枠体、および、第１および第２平側枠体に締結することができるため、第１および第２妻側枠体と、第１および第２平側枠体と、の連結状態をより強固なものとすることができる。
【００１４】
本発明に係るベビーベッドの更なる形態によれば、連結部材は、長手方向一端部に第１連結部を有する第１腕部と、長手方向一端部に第１連結部と連結可能な第２連結部を有する第２腕部と、第１腕部と第２腕部とが所望の挟角を維持可能に第１および第２連結部を締結する締結部材と、を有している。第１および第２腕部は、当該第１および第２腕部を第１および第２連結部が設けられた側とは反対側の先端側から見た場合に、略逆Ｕ字状の第１および第２凹部を有している。当該第１および第２凹部は、第１および第２底壁と、当該第１および第２底壁に一体にされた一対の第１および第２側壁と、から構成されている。そして、第１および第２底壁は、第１および第２係合部を構成し、一対の第１および第２側壁は、第１および第２締結部を構成する。
【００１５】
本形態によれば、連結部材を独立した第１および第２腕部により構成し、第１および第２腕部を所望の挟角で固定することができるため、第１および第２妻側枠体や第１および第２平側枠体とは別に枠体を準備し、これら第１および第２妻側枠体、第１および第２平側枠体、および、枠体を互いに当該連結部材によって連結することにより、ベビーベッドを５枚以上の枠体によって囲繞されるサークルに組み換えることが可能となる。なお、連結部材は、一対の第１および第２側壁によって、第１および第２妻側枠体、および、第１および第２平側枠体を挟持した状態で、第１および第２妻側枠体、および、第１および第２平側枠体に締結することができるため、第１および第２妻側枠体と、第１および第２平側枠体と、の連結状態をより強固なものとすることができる。
【００１６】
本発明に係るベビーベッドの更なる形態によれば、連結部材は、第１腕部と、当該第１腕部に直交状に一体にされた第２腕部と、を有している。また、第１および第２腕部は、第１および第２壁と、当該第１および第２壁に直交状に一体にされた第３および第４壁と、を有している。そして、第１および第２壁は、第１および第２係合部を構成し、第３および第４壁は、第１および第２締結部を構成する。
【００１７】
本形態によれば、連結部材を略Ｌ字状に形成し、当該連結部材の先端部に第１および第２壁と、当該第１および第２壁に直交する第３および第４壁と、を有する断面略Ｌ字状部ないし逆Ｌ字状部を設けるのみという簡易な構成で、第１および第２係合部と、第１および第２締結部と、を有する連結部材を実現することができる。なお、連結部材は、第１および第２壁を、第１および第２妻側枠体の第１切欠き、および、第１および第２平側枠体の第２切欠きに係合させた状態で、第３および第４壁を第１および第２妻側枠体、および、第１および第２平側枠体に締結することによって、第１および第２妻側枠体と第１および第２平側枠体とを連結することができる。
【００１８】
本発明に係るベビーベッドの更なる形態によれば、第１および第２妻側枠体のそれぞれに接続される第１および第２脚部材をさらに備えている。第１および第２妻側枠体は、第１および第２縦方向側縁部の下端を接続するように幅方向に延在する幅方向下縁部を有している。当該幅方向下縁部は、上方に向かって切り欠かれた第３および第４切欠きを有している。そして、第１および第２脚部材のそれぞれは、第３および第４切欠きに係合可能な第５切欠きを有している。
【００１９】
本形態によれば、ベビーベッドの高さを確保するために、ベビーベッドに第１および第２脚部材を設ける構成の場合、第１および第２妻側枠体の第３および第４切欠きに、第１および第２脚部材の第５切欠きを係合するのみで第１および第２脚部材を第１および第２妻側枠体に取り付けることができるため、極めて容易に、第１および第２脚部材を第１および第２妻側枠体へ組み付けることができる。
【００２０】
本発明に係るベビーベッドの更なる形態によれば、第３および第４切欠きは、上方に向かうに伴って互いに近付く方向の傾斜角を有している。
【００２１】
本形態によれば、第１および第２脚部材が床面に近付くに伴って互いに離れる方向の傾斜をもって、当該第１および第２脚部材を第１および第２妻側枠体に取り付けることができる。これにより、ベビーベッドの床面への設置の安定性を向上することができる。
【００２２】
本発明に係るベビーベッドの更なる形態によれば、第１および第２脚部材を連結する連結桟をさらに備えている。第１および第２脚部材は、連結桟が係合可能な第６および第７切欠きを有している。そして、第６および第７切欠きは、連結桟が第１および第２脚部材に係合した際、当該連結桟が水平状態となるように第３および第４切欠きの傾斜角に応じた傾斜角を有している。
【００２３】
本形態によれば、第１および第２脚部材が床面に近付くに伴って互いに離れる方向の傾斜を有している場合であっても、水平状態をもって連結桟を第１および第２脚部材に係合させることができる。これにより、連結桟による第１および第２脚部材の互いに離れる方向への変形を効果的に抑制することができる。この結果、ベビーベッドの安定性をより一層向上することができる。
【発明の効果】
【００２４】
本発明によれば、一般的に市場に流通しているベビーベッド用の寝具類を使用することができ、かつ、さらなるコスト低減を図ることができる。
【図面の簡単な説明】
【００２５】
【図１】本発明の実施の形態に係るベビーベッド１の構成の概略を示す斜視構成図である。
【図２】妻側プレート２，４の構成の概略を示す正面図、側面図および底面図である。
【図３】妻側プレート２，４の下側縁部２ｄ，４ｄ近傍を拡大して示す拡大図である。
【図４】平側プレート６，８の構成の概略を示す正面図および側面図である。
【図５】ジョイント１０の構成の概略を示す斜視図である。
【図６】ジョイント１０の凹部３２Ｒ，４２Ｒの形状が詳細に見える斜視底面図である。
【図７】ジョイント１０の外観を示す平面図および正面図である。
【図８】脚部材１２，１４の構成の概略を示す両側面図、正面図および底面図である。
【図９】キャスター取付け用金具５７およびキャスター６０の外観を示す斜視図である。
【図１０】キャスター取付け用金具５７を介してキャスター６０を脚部材１２，１４に固定した様子を示す説明図である。
【図１１】連結桟１６の構成の概略を示す側面図、正面図および平面図である。
【図１２】ジョイント１０を妻側プレート２，４の切欠き２２ａ，２４ａに取り付けた状態を、妻側プレート２，４の幅方向の一方側から見た説明図である。
【図１３】ジョイント１０を妻側プレート２，４の切欠き２２ａ，２４ａに取り付けた状態を、妻側プレート２，４の主面に直交する方向の一方側から見た説明図である。
【図１４】図１３のＸ−Ｘ断面を示す断面図である。
【図１５】ジョイント１０を妻側プレート２，４の切欠き２２ｂ，２４ｂに取り付けた状態を、妻側プレート２，４の幅方向の一方側から見た説明図である。
【図１６】ジョイント１０を妻側プレート２，４の切欠き２２ｂ，２４Ｂに取り付けた状態を、妻側プレート２，４の主面に直交する方向の一方側から見た説明図である。
【図１７】図１６のＹ−Ｙ断面を示す断面図である。
【図１８】妻側プレート２，４の切欠き２２ａ，２４ａに取り付けたジョイント１０を、平側プレート６の切欠き２８ａ，２９ａに取り付けた状態を、平側プレート６の幅方向の一方側から見た説明図である。
【図１９】妻側プレート２，４の切欠き２２ａ，２４ａに取り付けたジョイント１０を、平側プレート６の切欠き２８ａ，２９ａに取り付けた状態を、平側プレート６の主面に直交する方向の一方側から見た説明図である。
【図２０】図１８のＺ−Ｚ断面を示す断面図である。
【図２１】妻側プレート２，４の切欠き２２ｂ，２４ｂに取り付けたジョイント１０を、平側プレート８の切欠き２８ａ，２９ａに取り付けた状態を、平側プレート８の幅方向の一方側から見た説明図である。
【図２２】妻側プレート２，４の切欠き２２ｂ，２４ｂに取り付けたジョイント１０を、平側プレート８の切欠き２８ａ，２９ａに取り付けた状態を、平側プレート８の主面に直交する方向の一方側から見た説明図である。
【図２３】図２１のＰ−Ｐ断面を示す断面図である。
【図２４】妻側プレート２，４および平側プレート６，８がジョイント１０によって所定隙間をもって連結された状態を示す説明図である。
【図２５】妻側プレート２，４に連結桟１６で連結された脚部材１２，１４が取り付けられた状態を示す説明図である。
【図２６】変形例のベビーベッド１００の要部を拡大して示す要部拡大図である。
【図２７】第１腕部１３０の構成の外観を示す斜視図である。
【図２８】第２腕部１４０の構成の外観を示す斜視図である。
【図２９】妻側プレート２，４および平側プレート６，８をジョイント１１０によって連結する様子を示す説明図である。
【図３０】サークル２０１を上方から見た平面図である。
【図３１】変形例のジョイント２１０の構成の概略を示す斜視図である。
【図３２】変形例のジョイント２１０の構成の概略を示す斜視図である。
【図３３】変形例のジョイント２１０の外観を示す平面図および正面図である。
【図３４】妻側プレート２，４および平側プレート６に変形例のジョイント２１０を取り付けた状態を、平側プレート６，８の幅方向の一方側から見た説明図である。
【図３５】図３４のＴ−Ｔ断面を示す断面図である。
【図３６】妻側プレート２，４および平側プレート６に変形例のジョイント２１０を取り付けた状態を、妻側プレート２，４の幅方向の一方側から見た説明図である。
【図３７】図３６のＶ−Ｖ断面を示す断面図である。
【図３８】変形例のジョイント３１０の構成の概略を示す斜視図である。
【発明を実施するための形態】
【００２６】
次に、本発明を実施するための最良の形態を実施例を用いて説明する。
【実施例１】
【００２７】
本発明の第１実施例としてのベビーベッド１は、図１に示すように、一対の妻側プレート２，４と、一対の平側プレート６，８と、一対の妻側プレート２，４および一対の平側プレート６，８を連結する複数のジョイント１０と、一対の妻側プレート２，４それぞれに取り付けられた一対の脚部材１２，１４と、当該一対の脚部材１２，１４を連結する一対の連結桟１６，１６と、を備えている。なお、図示は省略されているが、妻側プレート２，４および平側プレート６，８によって囲まれたベビーベッド１の内側には、適当な高さ位置に底板が設置されている。妻側プレート２，４は、本発明における「第１妻側枠体」および「第２妻側枠体」に対応し、平側プレート６，８は、それぞれ本発明における「第１平側枠体」および「第２平側枠体」に対応し、複数のジョイント１０は、本発明における「連結部材」に対応し、一対の脚部材１２，１４は、それぞれ本発明における「第１脚部材」および「第２脚部材」に対応する実施構成の一例である。
【００２８】
妻側プレート２，４は、基本的には同一の構成をしており、図２に示すように、高さ方向（図２の上下方向）の寸法が幅方向（図２の左右方向）に比べて若干長い略長方形状の板材により成形されている。妻側プレート２，４の幅方向（図２の左右方向）の両端であって高さ方向（図２の上下方向）に延在する両側縁部２ａ，２ｂ，４ａ，４ｂには、一対の切欠き２２ａ，２２ｂ，２４ａ，２４ｂが形成されている。一対の切欠き２２ａ，２２ｂは、両側縁部２ａ，２ｂ，４ａ，４ｂのうち妻側プレート２，４の上側縁部２ｃ，４ｃ寄りの位置に配置されており、一対の切欠き２４ａ，２４ｂは、妻側プレート２，４の下側縁部２ｄ，４ｄ寄りの位置に配置されている。
【００２９】
なお、上側縁部２ｃ，４ｃとは、妻側プレート２，４の高さ方向（図２の上下方向）の上端（図２の上側端部）であって幅方向（図２の左右方向）に延在する縁部であり、下側縁部２ｄ，４ｄとは、妻側プレート２，４の高さ方向（図２の上下方向）の下端（図２の下側端部）であって幅方向（図２の左右方向）に延在する縁部である。また、各切欠き２２ａ，２２ｂ，２４ａ，２４ｂの下方部分には、妻側プレート２，４の表裏を貫通する二つの貫通孔ＴＨ１，ＴＨ１が形成されている。当該貫通孔ＴＨ１，ＴＨ１には、図示しないナットが埋設される。ここで、側縁部２ａ，４ａは、本発明における「第１縦方向側縁部」に対応し、側縁部２ｂ，４ｂは、本発明における「第２縦方向側縁部」に対応し、「下側縁部２ｄ，４ｄ」は、本発明における「幅方向下縁部」に対応する実施構成の一例である。また、切欠き２２ａ，２２ｂ，２４ａ，２４ｂは、本発明における「一対の第１切欠き」に対応する実施構成の一例である。
【００３０】
また、妻側プレート２，４の下側縁部２ｄ，４ｄには、図２および図３に示すように、上側縁部２ｃ，４ｃに向かって延在する切欠き２６ａ，２６ｂが形成されている。切欠き２６ａ，２６ｂは、上側縁部２ｃ，４ｃに向かうのに伴って互いに近付く方向の傾斜を有している。具体的には、切欠き２６ａ，２６ｂは、図３に示すように、鉛直方向ＶＤに対して互いに近付く方向に角度θの傾斜を有している。切欠き２６ａ，２６ｂは、それぞれ本発明における「第３切欠き」および「第４切欠き」に対応する実施構成の一例である。
【００３１】
平側プレート６，８は、基本的には同一の構成をしており、図４に示すように、高さ方向（図４の上下方向）の寸法が幅方向（図４の左右方向）に比べて短い略長方形状の板材により成形されている。平側プレート６，８の板厚は、妻側プレート２，４の板厚と同じ板厚に構成されている。また、平側プレート６，８の幅方向（図４の左右方向）の両端であって高さ方向（図４の上下方向）に延在する両側縁部６ａ，６ｂ，８ａ，８ｂには、一対の切欠き２８ａ，２８ｂ，２９ａ，２９ｂが形成されている。一対の切欠き２８ａ，２８ｂは、両側縁部６ａ，６ｂ，８ａ，８ｂのうち平側プレート６，８の上側縁部６ｃ，８ｃ寄りの位置に配置されており、一対の切欠き２９ａ，２９ｂは、平側プレート６，８の下側縁部６ｄ，８ｄ寄りの位置に配置されている。なお、上側縁部６ｃ，８ｃとは、平側プレート６，８の高さ方向（図４の上下方向）の上端（図４の上側端部）であって幅方向（図４の左右方向）に延在する縁部であり、下側縁部６ｄ，８ｄとは、平側プレート６，８の高さ方向（図４の上下方向）の下端（図４の下側端部）であって幅方向（図４の左右方向）に延在する縁部である。また、各切欠き２８ａ，２８ｂ，２９ａ，２９ｂの下方部分には、平側プレート６，８の表裏を貫通する二つの貫通孔ＴＨ２，ＴＨ２が形成されている。当該貫通孔ＴＨ２，ＴＨ２には、図示しないナットが埋設される。ここで、側縁部６ａ，８ａは、本発明における「第３縦方向側縁部」に対応し、側縁部６ｂ，８ｂは、本発明における「第４縦方向側縁部」に対応する実施構成の一例である。また、切欠き２８ａ，２８ｂ，２９ａ，２９ｂは、本発明における「一対の第２切欠き」に対応する実施構成の一例である。
【００３２】
また、平側プレート６，８には、図４に示すように、大小複数の開口２７ａ，２７ｂ，２７ｃが形成されている。これら開口２７ａ，２７ｂ，２７ｃによって、平側プレート６，８の軽量化が図られていると共に、意匠性の向上が図られている。さらに、平側プレート６，８の下側縁部６ｄ，８ｄ寄りの位置には、図示しない底板を取り付けるためのボルトなどの締結部材を挿通するための一対の挿通孔ＩＨ，ＩＨが形成されている。
【００３３】
ジョイント１０は、図５ないし図７に示すように、第１腕部３２と、当該第１腕部３２に対して直交状に延在する第２腕部４２と、を有する平面視略Ｌ字状に構成されており、第１および第２腕部３２，４２は、曲面を有する接続部３９を介して一体にされている。
【００３４】
第１および第２腕部３２，４２は、基本的には同一の構成を有しており、図５に示すように、第１および第２腕部３２，４２の延在方向の一方側（接続部３９側とは反対側）から見た場合に、略逆Ｕ字状の凹部３２Ｒ，４２Ｒを有している。当該凹部３２Ｒ，４２Ｒは、底壁３２ａ，４２ａと、当該底壁３２ａ，４２ａに一体にされた一対の側壁３２ｂ，３２ｂ，４２ｂ，４２ｂと、から構成されている。凹部３２Ｒ，４２Ｒの幅方向寸法（一対の側壁３２ｂ，３２ｂ，４２ｂ，４２ｂ間の内側寸法）は、妻側プレート２，４および平側プレート６，８の板厚とほぼ同じか若干大きい寸法に設定されている。また、底壁３２ａ，４２ａの厚みは、妻側プレート２，４の一対の切欠き２２ａ，２２ｂ，２４ａ，２４ｂおよび平側プレートの一対の切欠き２８ａ，２８ｂ，２９ａ，２９ｂの幅寸法とほぼ同じか若干小さい寸法に設定されている。凹部３２Ｒ，４２Ｒは、それぞれ本発明における「第１凹部」および「第２凹部」に対応し、底壁３２ａ，４２ａは、それぞれ本発明における「第１底壁」，「第１係合部」および「第２底壁」，「第２係合部」に対応し、一対の側壁３２ｂ，３２ｂ，４２ｂ，４２ｂは、それぞれ「一対の第１側壁」，「第１締結部」および「一対の第２側壁」，「第２締結部」に対応する実施構成の一例である。
【００３５】
また、一対の側壁３２ｂ，３２ｂ，４２ｂ，４２ｂのそれぞれには、凹部３２Ｒ，４２Ｒの内側まで貫通する貫通孔ＴＨ３，ＴＨ３が形成されている。当該貫通孔ＴＨ３，ＴＨ３の配置は、妻側プレート２，４および平側プレート６，８に形成された貫通孔ＴＨ１，ＴＨ１，ＴＨ２，ＴＨ２の配置に対応した配置とされている。
【００３６】
脚部材１２，１４は、図８に示すように、高さ方向（図８の上下方向）の寸法が幅方向（図８の左右方向）に比べて長い縦長の略長方形状の板材により成形されている。脚部材１２，１４の幅方向（図８の左右方向）の両端であって高さ方向（図８の上下方向）に延在する両側縁部５２ａ，５２ｂには、一対の切欠き５３ａ，５３ｂが形成されている。切欠き２６ａ，２６ｂは、図３に示すように、鉛直方向ＶＤに対して角度θだけ傾斜している。即ち、妻側プレート２，４（図２参照）の下側縁部２ｄ，４ｄ（図２参照）に形成された一対の切欠き２６ａ，２６ｂ（図２参照）の傾斜角θと同じ値に設定されている。
【００３７】
切欠き５３ａ，５３ｂは、図８に示すように、一方の主面、例えば、表面（図８の紙面手前側の面）から他方の主面、例えば、裏面（図８の紙面奥側の面）に向かうに伴って登り傾斜を有している。具体的には、切欠き５３ａ，５３ｂは、水平方向ＨＤに対して表面（図８の紙面手前側の面）から裏面（図８の紙面奥側の面）に向かう方向に角度θの登り傾斜を有している。切欠き５３ａ，５３ｂは、それぞれ本発明における「第６切欠き」および「第７切欠き」に対応する実施構成の一例である。
【００３８】
また、脚部材１２，１４の上側縁部５２ｃには、図８に示すように、下側縁部５２ｄに向かって延在する切欠き５５が形成されている。当該切欠き５５の幅寸法は、妻側プレート２，４の板厚とほぼ同じか若干大きい寸法に設定されている。なお、上側縁部５２ｃとは、脚部材１２，１４の高さ方向（図８の上下方向）の上端（図８の上側端部）であって幅方向（図８の左右方向）に延在する縁部であり、下側縁部５２ｄとは、脚部材１２，１４の高さ方向（図８の上下方向）の下端（図８の下側端部）であって幅方向（図８の左右方向）に延在する縁部である。切欠き５５は、本発明における「第５切欠き」に対応異する実施構成の一例である。
【００３９】
さらに、脚部材１２，１４の下側縁部５２ｄには、図８に示すように、切欠き凹部５３ｃが形成されている。当該切欠き凹部５３ｃの底面５３ｃ’には、所定深さの袋小路孔５３ｄが形成されている。また、脚部材１２，１４切欠き凹部５３ｃの底面５３ｃ’寄りの位置には、キャスター取付用金具５７を当該脚部材１２，１４に固定するためのボルトなどの締結部材（図示せず）が挿通される二つの挿通孔５３ｅ，５３ｅが形成されている。当該挿通孔５３ｅ，５３ｅは、脚部材１２，１４の表面（図８の紙面手前側の面）から裏面（図８の紙面奥側の面）まで貫通する貫通孔として構成されている。袋小路孔５３ｄは、後述するキャスター６０の旋回軸６２の外径よりも大きい寸法に設定されている。
【００４０】
キャスター取付用金具５７は、図９に示すように、一対の側壁５７ａ，５７ａと、当該側壁５７ａ，５７ａに一体に接続された底壁５７ｂと、を有しており、長手方向の一方側から見た場合に、略Ｕ字状を有している。一対の側壁５７ａ，５７ａのそれぞれには、二つの貫通孔ＴＨ４，ＴＨ４が形成されている。当該貫通孔ＴＨ４，ＴＨ４は、脚部材１２，１４の挿通孔５３ｅ，５３ｅと同じピッチ、および、同じ内径を有している。なお、一対の側壁５７ａ，５７ａ間の内側寸法は、脚部材１２，１４の板厚とほぼ同じか若干大きい寸法に設定されている。また、底壁５７ｂのほぼ中央部には、雌ネジ孔５７ｂ’が形成されている。
【００４１】
キャスター６０は、図９に示すように、旋回軸６２と、旋回軸６２に旋回可能に支持された本体部６４と、本体部６４に回転自在に支持された一対の車輪Ｗ，Ｗと、を有している。旋回軸６２の外周面には、雄ネジが形成されており、当該雄ネジがキャスター取付用金具５７の雌ネジ孔５７ｂ’にネジ係合されることにより、キャスター６０がキャスター取付用金具５７に取り付けられる。なお、キャスター取付用金具５７は、一方の側壁５７ａの貫通孔ＴＨ４，ＴＨ４から脚部材１２，１４の挿通孔５３ｅ，５３ｅ（図８参照）を介して他方の側壁５７ａの貫通孔ＴＨ４，ＴＨ４に挿通される図示しないボルトなどの締結部材によって脚部材１２，１４に固定される。これにより、図１０に示すように、脚部材１２，１４にキャスター６０が取り付けられる。このとき、旋回軸６２の先端部は、脚部材１２，１４の袋小路孔５３ｄ内に挿通された状態となる。なお、旋回軸６２のキャスター取付用金具５７へのねじ込み量を調整することによって、キャスター６０の車輪Ｗ，Ｗの切欠き凹部５３ｃからの突出量を調整することができる。
【００４２】
連結桟１６は、図１１に示すように、高さ方向（図１１の上下方向）の寸法が幅方向（図１１の左右方向）に比べて短い長方形状の板材により成形されており、連結桟１６の高さ方向（図１１の上下方向）の上端（図１１の上側端部）であって幅方向（図１１の左右方向）に延在する上側縁部１６ａには、一対の切欠き１７，１７が形成されている。当該一対の切欠き１７，１７の間隔は、妻側プレート２，４に取り付けられた脚部材１２，１４の一対の切欠き５３ａ，５３ｂ間の寸法と同じ寸法に設定されている。
【００４３】
次に、こうして構成されたベビーベッド１を組み立てる際の様子について説明する。まず、図１２ないし図１４に示すように、ジョイント１０の第２腕部４２の一対の側壁４２ｂ，４２ｂ間に妻側プレート２，４を挟み込むように、ジョイント１０の第２腕部４２の底壁４２ａを妻側プレート２，４の一対の切欠き２２ａ，２４ａに係合させ、ボルトなどの締結部材によってジョイント１０を妻側プレート２，４に固定する。同様に、図１５ないし図１７に示すように、ジョイント１０の第１腕部３２の一対の側壁３２ｂ，３２ｂ間に妻側プレート２，４を挟み込むように、ジョイント１０の第１腕部３２の底壁３２ａを妻側プレート２，４の一対の切欠き２２ｂ，２４ｂに係合させ、ボルトなどの締結部材によってジョイント１０を妻側プレート２，４に固定する。なお、妻側プレート２と妻側プレート４とは、ベビーベッド１の組み付けに際して、互いに鏡映対称の関係となるように配置される。
【００４４】
続いて、ジョイント１０が取り付けられた妻側プレート２に平側プレート６，８を取り付ける。具体的には、図１８ないし図２０に示すように、妻側プレート２の切欠き２２ａ，２４ａに取り付けられたジョイント１０の第１腕部３２の一対の側壁３２ｂ，３２ｂ間、および、図２１ないし図２３に示すように、妻側プレート２の切欠き２２ｂ，２４ｂに取り付けられたジョイント１０の第２腕部４２の一対の側壁４２ｂ，４２ｂ間に、平側プレート６および平側プレート８を挟み込むように、ジョイント１０の第１腕部３２の底壁３２ａを平側プレート６の一対の切欠き２８ａ，２９ａに係合させると共に、ジョイント１０の第２腕部４２の底壁４２ａを平側プレート８の一対の切欠き２８ａ，２９ａに係合させて、ボルトなどの締結部材によってジョイント１０を介して平側プレート６，８を妻側プレート２に固定する。
【００４５】
さらに、妻側プレート２にジョイント１０を介して取り付けられた平側プレート６，８にジョイント１０が取り付けられた妻側プレート４を取り付ける。具体的には、妻側プレート２と妻側プレート４とは、互いに鏡映対称の関係となる配置で組付けられるため、妻側プレート４の切欠き２２ｂ，２４ｂに取り付けられたジョイント１０の第２腕部４２の一対の側壁４２ｂ，４２ｂ間、および、妻側プレート４の切欠き２２ａ，２４ａに取り付けられたジョイント１０の第１腕部３２の一対の側壁３２ｂ，３２ｂ間に、平側プレート６および平側プレート８を挟み込むように、ジョイント１０の第２腕部４２の底壁４２ａを平側プレート６の一対の切欠き２８ｂ，２９ｂに係合させると共に、ジョイント１０の第１腕部３２の底壁３２ａを平側プレート８の一対の切欠き２８ｂ，２９ｂに係合させて、ボルトなどの締結部材によってジョイント１０を介して平側プレート６，８を妻側プレート４に固定する。
【００４６】
こうして、図２４に示すように、妻側プレート２，４および平側プレート６，８がジョイント１０によって接続されてベビーベッド１の外郭が構成された後に、妻側プレート２，４および平側プレート６，８で囲まれた囲繞領域の内側の適当な高さ位置に、図示しない底板をボルトなどの締結部材によって取り付ける。ここで、本実施の形態では、妻側プレート２，４および平側プレート６，８は、ジョイント１０によって所定隙間をもって連結される構成であるため、ベビーベッド１の内側寸法を、一般的に市場に流通しているベビーベッド用の寝具類に対応させた寸法を維持しながら、妻側プレート２，４および平側プレート６，８の幅方向寸法の短縮化を図ることができる。より具体的には、図７も参照して、ジョイント１０の第１腕部の一対の側壁３２ｂ，３２ｂのうち外側に配置される側壁３２ｂの内側面から第２腕部４２の凹部４２Ｒの奥側面までの寸法Ｌ１、あるいは、ジョイント１０の第２腕部の一対の側壁４２ｂ，４２ｂのうち外側に配置される側壁４２ｂの内側面から第１腕部３２の凹部３２Ｒの奥側面までの寸法Ｌ１の２倍（Ｌ１×２）の長さだけ妻側プレート２，４および平側プレート６，８の幅方向寸法の短縮化を図ることができる。これにより、ベビーベッド１の分解状態での運送コストの低減を図ることができる。もとより、ベビーベッド１の内側寸法は、一般的に市場に流通しているベビーベッド用の寝具類に対応させた寸法を維持できるため、専用の寝具類を準備する必要がなく、コスト高を招くこともない。
【００４７】
そして、最後に、妻側プレート２，４の下側縁部２ｄ，４ｄの切欠き２６ａ，２６ｂ（図２参照）に、脚部材１２，１４の上側縁部５２ｃの切欠き５５（図８参照）を係合させることによって、図２５に示すように、キャスター６０が取り付けられた脚部材１２，１４を妻側プレート２，４に取り付けると共に、当該妻側プレート２，４に取り付けられた脚部材１２の側縁部５２ａの切欠き５３ａ（図８参照）および脚部材１４の側縁部５２ｂの切欠き５３ｂ（図８参照）に、連結桟１６の上側縁部１６ａの一対の切欠き１７，１７を係合させることによって、連結桟１６を脚部材１２，１４に取り付け、ベビーベッド１の組付けが完了する。
【００４８】
ここで、脚部材１２，１４は、妻側プレート２，４から遠ざかるのに伴って互いに離れる方向の傾斜角θ（鉛直方向ＶＤに対して互いに離れる方向の傾斜角θ）を有している、換言すれば、脚部材１２，１４は、床面に近付くのに伴って互いに離れる方向の傾斜角θ（鉛直方向ＶＤに対して互いに離れる方向の傾斜角θ）を有しているため、ベビーベッド１の床面への設置の安定性を向上することができる。また、脚部材１２，１４を連結桟１６によって連結する構成であるため、ベビーベッド１の床面への設置の安定性がより向上する。なお、本実施の形態では、連結桟１６は、水平状態をもって脚部材１２，１４を連結する構成であるため、連結桟１６による脚部材１２，１４の互いに離れる方向への変形を効果的に抑制することができ、ベビーベッド１の安定性をより一層向上することができる。
【実施例２】
【００４９】
次に、本発明の第２実施例のベビーベッド１００について説明する。第２実施例のベビーベッド１００は、第１実施例のベビーベッド１に対してジョイント１０をジョイント１１０に替えた点を除いて第１実施例のベビーベッド１と同一の構成を有している。したがって、第２実施例のベビーベッド１００の構成のうち第１実施例のベビーベッド１のハード構成と同一部分については同一の符号を付し、その詳細な説明を省略する。
【００５０】
第２実施例のベビーベッド１００では、図２６に示すように、妻側プレート２，４および平側プレート６，８が、ジョイント１１０によって連結されている。ジョイント１１０は、第１腕部１３０と、第２腕部１４０と、当該第１および第２腕部１３０，１４０を締結するボルトＢＬＴおよびナットＮと、を備えている。第１および第２腕部１３０，１４０は、それぞれ本発明における「第１腕部」および「第２腕部」に対応し、ボルトＢＬＴおよびナットＮは、本発明における「締結部材」に対応する実施構成の一例である。
【００５１】
第１腕部１３０は、図２７に示すように、本体部１３２と、当該本体部１３２の長手方向の一端に一体にされた略円板状の連結部１３４と、から構成されている。本体部１３２は、一対の側壁１３２ａ，１３２ａと、当該一対の側壁１３２ａ，１３２ａを接続する底壁１３２ｂと、を有しており、一対の側壁１３２ａ，１３２ａおよび底壁１３２ｂによって、第１腕部１３０の長手方向の一方側から見た場合に、略逆Ｕ字状の凹部１３２Ｒが構成されている。また、一対の側壁１３２ａ，１３２ａのそれぞれには、凹部１３２Ｒの内側まで貫通する貫通孔ＴＨ５，ＴＨ５が形成されている。当該貫通孔ＴＨ５，ＴＨ５の配置は、妻側プレート２，４および平側プレート６，８に形成された貫通孔ＴＨ１，ＴＨ１，ＴＨ２，ＴＨ２の配置に対応した配置とされている。一対の側壁１３２ａ，１３２ａは、本発明における「一対の第１側壁」および「第１締結部」に対応し、底壁１３２ｂは、本発明における「第１底壁」および「第１係合部」に対応し、凹部１３２Ｒは、本発明における「第１凹部」に対応する実施構成の一例である。
【００５２】
凹部１３２Ｒの幅方向寸法（一対の側壁１３２ａ，１３２ａ間の内側寸法）は、妻側プレート２，４および平側プレート６，８の板厚とほぼ同じか若干大きい寸法に設定されている。また、底壁１３２ｂの厚みは、妻側プレート２，４の一対の切欠き２２ａ，２２ｂ，２４ａ，２４ｂおよび平側プレートの一対の切欠き２８ａ，２８ｂ，２９ａ，２９ｂの幅寸法とほぼ同じか若干小さい寸法に設定されている。
【００５３】
また、連結部１３４は、図２７に示すように、一方の主面１３４ａが本体部１３２の底壁１３２ｂと面一状に当該底壁１３２ｂに一体にされている。連結部１３４には、中央に貫通孔１３５が形成されている。貫通孔１３５の内径は、ボルトＢＬＴのネジ径よりも若干大きい値に設定されている。
【００５４】
第２腕部１４０は、連結部１４４の配置が異なる点を除いて第１腕部１３０と同一の構成を有している。具体的には、第２腕部１４０は、図２８に示すように、本体部１４２と、当該本体部１４２の長手方向の一端に一体にされた略円板状の連結部１４４と、から構成されている。本体部１４２は、一対の側壁１４２ａ，１４２ａと、当該一対の側壁１４２ａ，１４２ａを接続する底壁１４２ｂと、を有しており、一対の側壁１４２ａ，１４２ａおよび底壁１４２ｂによって、第２腕部１４０の長手方向の一方側から見た場合に、略逆Ｕ字状の凹部１４２Ｒが構成されている。また、一対の側壁１４２ａ，１４２ａのそれぞれには、凹部１４２Ｒの内側まで貫通する貫通孔ＴＨ６，ＴＨ６が形成されている。当該貫通孔ＴＨ６，ＴＨ６の配置は、妻側プレート２，４および平側プレート６，８に形成された貫通孔ＴＨ１，ＴＨ１，ＴＨ２，ＴＨ２の配置に対応した配置とされている。一対の側壁１４２ａ，１４２ａは、本発明における「一対の第２側壁」および「第２締結部」に対応し、底壁１４２ｂは、本発明における「第２底壁」および「第２係合部」に対応し、凹部１４２Ｒは、本発明における「第２凹部」に対応する実施構成の一例である。
【００５５】
凹部１４２Ｒの幅方向寸法（一対の側壁１４２ａ，１４２ａ間の内側寸法）は、妻側プレート２，４および平側プレート６，８の板厚とほぼ同じか若干大きい寸法に設定されている。また、底壁１４２ｂの厚みは、妻側プレート２，４の一対の切欠き２２ａ，２２ｂ，２４ａ，２４ｂおよび平側プレートの一対の切欠き２８ａ，２８ｂ，２９ａ，２９ｂの幅寸法とほぼ同じか若干小さい寸法に設定されている。
【００５６】
また、連結部１４４は、図２８に示すように、一方の主面１４４ａが本体部１４２の底壁１４２ｂに対して段差をもって当該底壁１４２ｂに一体にされている。当該段差は、第１腕部１３０の連結部１３４の厚み寸法とほぼ同じ寸法に設定されている。連結部１４４には、中央に貫通孔１４５が形成されている。貫通孔１４５の内径は、ボルトＢＬＴのネジ径よりも若干大きい値に設定されている。
【００５７】
次に、こうして構成された第２実施例のベビーベッド１００を組み立てる際の様子について説明する。ジョイント１１０の第１腕部１３０または第２腕部１４０のいずれか一方を妻側プレート２，４に取り付けると共に、ジョイント１１０の第１腕部１３０または第２腕部１４０の他方を平側プレート６，８に取り付ける。具体的には、第１腕部１３０の一対の側壁１３２ａ，１３２ａ間に妻側プレート２，４または平側プレート６，８を挟み込むように、第１腕部１３０の底壁１３２ｂを妻側プレート２，４の一対の切欠き２２ａ，２２ｂ，２４ａ，２４ｂまたは平側プレート６，８の一対の切欠き２８ａ，２８ｂ，２９ａ，２９ｂに係合させ、ボルトなどの締結部材によって第１腕部１３０を妻側プレート２，４または平側プレート６，８に固定する。同様に、第２腕部１４０の一対の側壁１４２ａ，１４２ａ間に平側プレート６，８または妻側プレート２，４を挟み込むように、第２腕部１４０の底壁１４２ｂを平側プレート６，８の一対の切欠き２８ａ，２８ｂ，２９ａ，２９ｂまたは妻側プレート２，４の一対の切欠き２２ａ，２２ｂ，２４ａ，２４ｂに係合させ、ボルトなどの締結部材によって第２腕部１４０を平側プレート６，８または妻側プレート２，４に固定する。本実施の形態では、図２６および図２９に示すように、妻側プレート２，４に第２腕部１４０を取り付け、平側プレート６，８に第１腕部１３０を取り付ける構成とした。
【００５８】
続いて、妻側プレート２，４に固定された第１腕部１３０の連結部１３４または第２腕部１４０の連結部１４４と、平側プレート６，８に固定された第２腕部１４０の連結部１４４または第１腕部１３０の連結部１３４と、を重ね合わせて（図２９参照）、当該状態で連結部１３４，１４４の貫通孔１３５，１４５にボルトＢＬＴを挿通し、ナットＮを当該ボルトＢＬＴにネジ係合させることによって、第１および第２腕部１３０，１４０を締結する。これにより、妻側プレート２，４および平側プレート６，８のジョイント１１０を介した所定隙間を有する連結が完了する。なお、第１腕部１３０の連結部１３４と、第２腕部１４０の連結部１４４との重ね合わせは、連結部１３４が連結部１４４の上に重なるように、即ち、連結部１３４が第２腕部１４０の段差に収まるように行われる。
【００５９】
こうした第２実施例のベビーベッド１００によれば、第１実施例のベビーベッド１と同様の効果に加えて、ジョイント１１０が独立した第１腕部１３０および第２腕部１４０により構成したことにより奏する新たな効果を奏する。具体的には、ジョイント１１０を独立した第１腕部１３０および第２腕部１４０により構成したことによって、第１腕部１３０および第２腕部１４０を所望の挟角で固定することができるため、図３０に示すように、ベビーベッド１をサークル２０１として組み替えることが可能となる。即ち、ベビーベッド１用の妻側プレート２，４や平側プレート６，８とは別にこれら妻側プレート２，４や平側プレート６，８と同形状のサークル用プレート２０５を準備し、ベビーベッド１用の妻側プレート２，４とサークル用プレート２０５、あるいは、ベビーベッド１用の平側プレート６，８とサークル用プレート２０５と、を互いにジョイント１１０によって連結することにより、ベビーベッド１をサークル２０１に組み換えることが可能となる。
【００６０】
第１実施例および第２実施例では、妻側プレート２，４および平側プレート６，８を板材により構成したが、これに限らない。例えば、板材の妻側プレート２，４および平側プレート６，８に代えて梯子状に構成された妻側フレームおよび平側フレームを用いる構成としても良い。この場合、妻側フレームの幅方向両端に配置された縦桟（組立て状態にあるベビーベッド１の高さ方向に延在する桟であって、妻側フレームの幅方向の両側に配置された桟）、および、平側フレームの高さ方向の両端に配置された横桟（組立て状態にあるベビーベッド１の幅方向に延在する桟であって、平側フレームの高さ方向の両側に配置された桟）のそれぞれにジョイント１０，１１０を取り付けるための切欠きおよび貫通孔を設ける構成とすれば良い。なお、妻側プレート２，４および平側プレート６，８のいずれか一方のみを板材に代えて梯子状のフレームに代える構成でも良いことは言うまでもない。
【００６１】
第１実施例および第２実施例では、脚部材１２，１４を有する構成としたが、脚部材１２，１４は無くても良い。
【００６２】
第１実施例および第２実施例では、脚部材１２，１４がキャスター６０を有する構成としたが、キャスター６０は有さなくても負い。
【００６３】
第１実施例および第２実施例では、脚部材１２，１４を連結桟１６によって連結する構成としたが、脚部材１２，１４は、連結桟１６によって連結されなくても良い。
【００６４】
第１実施例および第２実施例では、妻側プレート２，４および脚部材１２，１４の両方に切欠き２６ａ，２６ｂおよび切欠き５５を設ける構成としたが、これに限らない。例えば、妻側プレート２，４および脚部材１２，１４のいずれか一方のみに切欠き２６ａ，２６ｂおよび切欠き５５を設ける構成としても良い。
【００６５】
第１実施例および第２実施例では、脚部材１２，１４が床面に近付くのに伴って互いに離れる方向の傾斜角θ（鉛直方向ＶＤに対して互いに離れる方向の傾斜角θ）を有する構成としたが、これに限らない。例えば、脚部材１２，１４を互いに平行に延在させる構成としても良い。
【００６６】
第１実施例および第２実施例では、ジョイント１０，１１０の一対の側壁３２ｂ，３２ｂ，４２ｂ，４２ｂ，１３２ａ，１３２ａ，１４２ａ，１４２ａによって妻側プレート２，４および平側プレート６，８を挟み込む構成としたが、ジョイント１０，１１０を妻側プレート２，４および平側プレート６，８に固定することができれば、一対の側壁３２ｂ，３２ｂ，４２ｂ，４２ｂ，１３２ａ，１３２ａ，１４２ａ，１４２ａによって妻側プレート２，４および平側プレート６，８を挟み込む構成に限らない。例えば、一対の側壁３２ｂ，３２ｂ，４２ｂ，４２ｂ，１３２ａ，１３２ａ，１４２ａ，１４２ａのいずれか一方の側壁３２ｂ，４２ｂ，１３２ａ，１４２ａのみを有する構成でも構わない。
【００６７】
図３１および図３２は、第１実施例のジョイント１０の変形例であるジョイント２１０の構成の概略を示す斜視図である。変形例のジョイント２１０は、第１実施例のジョイント１０に対して第１および第２腕部３２，４２を第１および第２腕部２３２，２４２に替えた点を除いて、第１実施例のジョイント１０と同一の構成を有している。したがって、変形例のジョイント２１０の構成のうち第１実施例のジョイント１０の構成と同一部分については同一の符号を付し、その詳細な説明を省略する。
【００６８】
変形例のジョイント２１０は、図３１ないし図３３に示すように、第１腕部２３２と、当該第１腕部２３２に対して直交状に延在する第２腕部２４２と、を有する平面視略Ｌ字状に構成されており、第１および第２腕部２３２，２４２は、曲面を有する接続部３９を介して一体にされている。
【００６９】
第１および第２腕部２３２，２４２は、基本的には同一の構成を有しており、図３１ないし図３３に示すように、第１および第２腕部２３２，２４２の延在方向の一方側（接続部３９側とは反対側）から見た場合に、略逆Ｌ字状ないし逆Ｌ字状を有している。即ち、第１および第２腕部２３２，２４２は、天板２３２ａ，２４２ａと、当該天板２３２ａ，２４２ａに直交状に一体にされた側壁２３２ｂ，２４２ｂと、を有している。なお、天板２３２ａ，２４２ａの厚みは、妻側プレート２，４の一対の切欠き２２ａ，２２ｂ，２４ａ，２４ｂおよび平側プレートの一対の切欠き２８ａ，２８ｂ，２９ａ，２９ｂの幅寸法とほぼ同じか若干小さい寸法に設定されている。天板２３２ａ，２４２ａは、それぞれ本発明における「第１壁」，「第１係合部」および「第２壁」，「第２係合部」に対応し、側壁２３２ｂ，２４２ｂは、それぞれ「第３壁」，「第１締結部」および「第４壁」，「第２締結部」に対応する実施構成の一例である。
【００７０】
また、側壁２３２ｂ，２４２ｂのそれぞれには、図３１ないし図３３に示すように、貫通長孔ＴＨ２０３が形成されている。当該変形例においては、妻側プレート２，４および平側プレート６，８には、２つの貫通孔ＴＨ１，ＴＨ１，ＴＨ２，ＴＨ２に替えて１つのネジ孔ＢＨ１，ＢＨ２（図３５および図３７参照）が形成されており、貫通長孔ＴＨ２０３は、当該ネジ孔ＢＨ１，ＢＨ２に対応した位置に配置されている。
【００７１】
次に、こうして構成された変形例のジョイント２１０を用いて妻側プレート２，４と平側プレート６，８とを連結する際の様子について説明する。ジョイント２１０の妻側プレート２，４および平側プレート６，８への取り付けは、図３４および図３６に示すように、第１および第２腕部２３２，２４２の天板２３２ａ，２４２ａを妻側プレート２，４の一対の切欠き２２ａ，２２ｂ，２４ａ，２４ｂおよび平側プレート６，８の一対の切欠き２８ａ，２８ｂ，２９ａ，２９ｂに係合させると共に、第１および第２腕部２３２，２４２の側壁２３２ｂ，２４２ｂを妻側プレート２，４および平側プレート６，８に当接させた状態で、図３５および図３７に示すように、ボルトＢＬＴなどの締結部材を貫通長孔ＴＨ２０３から妻側プレート２，４および平側プレート６，８のネジ孔ＢＨ１，ＢＨ２にネジ係合することにより行う。これにより、妻側プレート２，４および平側プレート６，８のジョイント２１０を介した所定隙間を有する連結が完了する。
【００７２】
こうして構成された変形例のジョイント２１０においても、実施例のジョイント１０と同様、妻側プレート２，４および平側プレート６，８が所定隙間をもって連結される構成であるため、ベビーベッド１の内側寸法を、一般的に市場に流通しているベビーベッド用の寝具類に対応させた寸法を維持しながら、妻側プレート２，４および平側プレート６，８の幅方向寸法の短縮化を図ることができる。これにより、ベビーベッド１の分解状態での運送コストの低減を図ることができる。もとより、ベビーベッド１の内側寸法は、一般的に市場に流通しているベビーベッド用の寝具類に対応させた寸法を維持できるため、専用の寝具類を準備する必要がなく、コスト高を招くこともない。また、ジョイント２１０の第１および第２腕部２３２，２４２が、天板２３２ａ，２４２ａと、当該天板２３２ａ，２４２ａに直交状に一体にされた側壁２３２ｂ，２４２ｂと、を有するのみであるため、妻側プレート２，４および平側プレート６，８の板厚に関わらず、妻側プレート２，４と平側プレート６，８との連結が可能である。
【００７３】
なお、上述した変形例のジョイント２１０では、第１および第２腕部２３２，２４２の側壁２３２ｂ，２４２ｂを同じ側、即ち、ジョイント２１０の外周面２１０ａ（図３３参照）側に設ける構成としたが、これに限らない。例えば、図３８の変形例のジョイント３１０に示すように、第１および第２腕部２３２，３４２の側壁２３２ｂ，３４２ｂは異なる側、即ち、側壁２３２ｂは、ジョイント３１０の外周面３１０ａ側に設け、側壁３４２ｂは、ジョイントの内周面３１０ｂ側に設ける構成としても良い。また、これとは逆に、側壁２３２ｂは、ジョイント３１０の内周面３１０ｂ側に設け、側壁３４２ｂは、ジョイントの内周面３１０ｂ側に設ける構成としても良い。なお、符号「３４２ａ」は、第２腕部３４２の天板である。
【００７４】
第１実施例、第２実施例および変形例では、脚部材１２，１４および連結桟１６の両方に切欠き５３ａ，５３ｂおよび切欠き１７，１７を設ける構成としたが、これに限らない。例えば、脚部材１２，１４および連結桟１６のいずれか一方のみに切欠き５３ａ，５３ｂおよび切欠き１７，１７を設ける構成としても良い。なお、連結桟１６のみに切欠き１７，１７を設ける構成の場合、当該連結桟１６を水平状態をもって脚部材１２，１４に取り付けるためには、切欠き１７，１７を一方の主面、例えば、表面（図１１の紙面手前側の面）から他方の主面、例えば、裏面（図１１の紙面奥側の面）に向かうに伴って互いに遠ざかる方向に下り傾斜を有するように形成すれば良い。
【００７５】
本実施形態は、本発明を実施するための形態の一例を示すものである。したがって、本発明は、本実施形態の構成に限定されるものではない。
【符号の説明】
【００７６】
１          ベビーベッド（ベビーベッド）
２          妻側プレート（第１妻側枠体）
２ａ        側縁部（第１縦方向側縁部）
２ｂ        側縁部（第２縦方向側縁部）
２ｃ        上側縁部
２ｄ        下側縁部（幅方向下縁部）
４          妻側プレート（第２妻側枠体）
４ａ        側縁部（第１縦方向側縁部）
４ｂ        側縁部（第２縦方向側縁部）
４ｃ        上側縁部
４ｄ        下側縁部（幅方向下縁部）
６          平側プレート（第１平側枠体）
６ａ        側縁部（第３縦方向側縁部）
６ｂ        側縁部（第４縦方向側縁部）
６ｃ        上側縁部
６ｄ        下側縁部
８          平側プレート（第２平側枠体）
８ａ        側縁部（第３縦方向側縁部）
８ｂ        側縁部（第４縦方向側縁部）
８ｃ        上側縁部
８ｄ        下側縁部
１０        ジョイント（連結部材）
１２        脚部材（第１脚部材）
１４        脚部材（第２脚部材）
１６        連結桟（連結桟）
１６ａ      上側縁部
１７        切欠き
２２ａ      切欠き（一対の第１切欠き）
２２ｂ      切欠き（一対の第１切欠き）
２４ａ      切欠き（一対の第１切欠き）
２４ｂ      切欠き（一対の第１切欠き）
２６ａ      切欠き（第３切欠き）
２６ｂ      切欠き（第４切欠き）
２７ａ      開口
２７ｂ      開口
２７ｃ      開口
２８ａ      切欠き（一対の第２切欠き）
２８ｂ      切欠き（一対の第２切欠き）
２９ａ      切欠き（一対の第２切欠き）
２９ｂ      切欠き（一対の第２切欠き）
３２        第１腕部（第１腕部）
３２ａ      底壁（第１底壁、第１係合部）
３２ｂ      側壁（一対の第１側壁、第１締結部）
３２Ｒ      凹部（第１凹部）
３９        接続部
４２        第２腕部（第２腕部）
４２ａ      底壁（第２底壁、第２係合部）
４２ｂ      側壁（一対の第２側壁、第２締結部）
４２Ｒ      凹部（第２凹部）
５２ａ      側縁部
５２ｂ      側縁部
５２ｃ      上側縁部
５２ｄ      下側縁部
５３ａ      切欠き（第６切欠き）
５３ｂ      切欠き（第７切欠き）
５３ｃ      切欠き凹部
５３ｃ’    底面
５３ｄ      袋小路孔
５３ｅ      挿通孔
５５        切欠き（第５切欠き）
５７        キャスター取付用金具
５７ａ      側壁
５７ｂ      底壁
５７ｂ’    雌ネジ孔
６０        キャスター
６２        旋回軸
６４        本体部
１００      ベビーベッド（ベビーベッド）
１１０      ジョイント（連結部材）
１３０      第１腕部（第１腕部）
１３２      本体部
１３２ａ    側壁（一対の第１側壁、第１締結部）
１３２ｂ    底壁（第１底壁、第１係合部）
１３２Ｒ    凹部（第１凹部）
１３４      連結部（連結部）
１３５      貫通孔
１４０      第２腕部（第２腕部）
１４２      本体部
１４２ａ    側壁（一対の第２側壁、第２締結部）
１４２ｂ    底壁（第２底壁、第２係合部）
１４２Ｒ    凹部（第２凹部）
１４４      連結部（連結部）
１４５      貫通孔
２０１      サークル
２０５      サークル用プレート
２１０      ジョイント（連結部材）
２３２      第１腕部（第１腕部）
２３２ａ    天板（第１壁、第１係合部）
２３２ｂ    側壁（第３壁、第１締結部）
２４２      第２腕部（第２腕部）
２４２ａ    天板（第２壁、第２係合部）
２４２ｂ    側壁（第４壁、第２締結部）
３１０      ジョイント（連結部材）
３４２      第２腕部（第２腕部）
３４２ａ    天板（第２壁、第２係合部）
３４２ｂ    側壁（第４壁、第２締結部）
ＴＨ１      貫通孔
ＴＨ２      貫通孔
ＴＨ３      貫通孔
ＴＨ４      貫通孔
ＴＨ５      貫通孔
ＴＨ６      貫通孔
ＴＨ２０３  貫通長孔
ＩＨ        挿通孔
ＢＨ１      ネジ孔
ＢＨ２      ネジ孔
ＶＤ        鉛直方向
ＨＤ        水平方向
θ          傾斜角
Ｗ          車輪
Ｌ１        寸法
ＢＬＴ      ボルト（締結部材）
Ｎ          ナット（締結部材）
【図１】
2020065909.tif 000003
【図２】
2020065909.tif 000004
【図３】
2020065909.tif 000005
【図４】
2020065909.tif 000006
【図５】
2020065909.tif 000007
【図６】
2020065909.tif 000008
【図７】
2020065909.tif 000009
【図８】
2020065909.tif 000010
【図９】
2020065909.tif 000011
【図１０】
2020065909.tif 000012
【図１１】
2020065909.tif 000013
【図１２】
2020065909.tif 000014
【図１３】
2020065909.tif 000015
【図１４】
2020065909.tif 000016
【図１５】
2020065909.tif 000017
【図１６】
2020065909.tif 000018
【図１７】
2020065909.tif 000019
【図１８】
2020065909.tif 000020
【図１９】
2020065909.tif 000021
【図２０】
2020065909.tif 000022
【図２１】
2020065909.tif 000023
【図２２】
2020065909.tif 000024
【図２３】
2020065909.tif 000025
【図２４】
2020065909.tif 000026
【図２５】
2020065909.tif 000027
【図２６】
2020065909.tif 000028
【図２７】
2020065909.tif 000029
【図２８】
2020065909.tif 000030
【図２９】
2020065909.tif 000031
【図３０】
2020065909.tif 000032
【図３１】
2020065909.tif 000033
【図３２】
2020065909.tif 000034
【図３３】
2020065909.tif 000035
【図３４】
2020065909.tif 000036
【図３５】
2020065909.tif 000037
【図３６】
2020065909.tif 000038
【図３７】
2020065909.tif 000039
【図３８】
2020065909.tif 000040